(57)【要約】【課題】  ユーザが必要とするパラメータをユーザ選択パラメータに登録するために必要な操作回数を大幅に削減し、操作性の向上したインバータ装置におけるパラメータ設定装置を提供する。【解決手段】  パラメータ設定装置に特定キーを設け、デフォルト値と異なるパラメータを検出する機能であるベリファイ機能で登録されたパラメータ情報を、ユーザ選択パラメータに、パラメータ設定装置の特定キー３９を押すことにより、一括登録できるようにし、さらにパラメータ設定変更時に、上述の特定キー３９を押すことによりユーザ選択パラメータに変更中のパラメータが追加されるようにした。【選択図】  図１
2006246658.tif 000002
【特許請求の範囲】
【請求項１】
複数のパラメータの設定値を記憶させる記憶手段と、各パラメータを表示可能な表示手段と、各パラメータ値を設定可能な設定手段と、ユーザが必要なパラメータのみを登録し、当該パラメータのみ表示させることができる表示手段と、登録した当該パラメータを記憶させる記憶手段と、パラメータの初期値として当該装置に記憶されているデフォルト値とパラメータの現在の値を比較してデフォルト値と異なるパラメータを検出する相異パラメータ検出手段と、当該パラメータを記憶する記憶手段と、当該パラメータのみ表示させることができる表示手段とを備えたインバータ装置におけるパラメータ設定装置において、
デフォルト値と異なるパラメータを、ユーザが必要なパラメータとして登録する異デフォルト値パラメータ登録手段を備えたことを特徴とするインバータ装置におけるパラメータ設定装置。
【請求項２】
前記各パラメータ値を設定中に、ユーザが必要とするパラメータに登録ができる設定手段を備えたことを特徴とする請求項１記載のインバータ装置におけるパラメータ設定装置。
【請求項３】
複数のパラメータの設定値を記憶し、各パラメータを表示し、各パラメータ値を設定し、ユーザが必要なパラメータのみを登録し、登録された当該パラメータのみ表示させ、登録した当該パラメータを記憶させ、パラメータの初期値として当該装置に記憶されているデフォルト値とパラメータの現在の値を比較してデフォルト値と異なるパラメータを検出し、検出された当該パラメータを記憶し、当該パラメータのみ表示させるインバータ装置におけるパラメータ設定方法において、
デフォルト値と異なるパラメータを、ユーザが必要なパラメータとして登録するようにしたことを特徴とするインバータ装置におけるパラメータ設定方法。
【請求項４】
前記各パラメータ値を設定中に、当該パラメータをユーザが必要とするパラメータに登録ができるようにしたことを特徴とする請求項３記載のインバータ装置におけるパラメータ設定方法。
【発明の詳細な説明】
【技術分野】
【０００１】
本発明は、インバータ装置において各種のパラメータを設定するためのパラメータ設定装置およびその方法に関する。
【背景技術】
【０００２】
交流電動機を可変速制御するためのインバータ装置では、交流電動機の特性を要求される仕様と合わせるために様々なパラメータを設定する必要がある。そのため、インバータ装置には、各種のパラメータを設定するためのパラメータ設定装置が備えられていて、ユーザはこのパラメータ設定装置を用いて各種のパラメータの設定、変更および確認を行っている。
図４は、このようなパラメータ設定装置の外観を示している。
このパラメータ設定装置には、表示部３０と、ＥＳＣキー３１、ＤＡＴＡ／ＥＮＴＥＲキー３２、右シフトキー３３、ＵＰキー３４、ＤＯＷＮキー３５、ＲＵＮキー３６、ＳＴＯＰキー３７、ＭＥＮＵキー３８、ＪＯＧキー３９’等の各種の操作部とが備えられている。他にもキーはあるが、本発明の説明には関係しないため省略する。
このパラメータ設定装置では、各種のキー３１〜３５を操作することによりパラメータの設定、確認が行われる。そして、ＲＵＮキー３６を操作することによりインバータ装置の始動が行われ、設定されたパラメータに応じて交流電動機の制御が行われる。そして、ＳＴＯＰキー３７を操作することによりインバータ装置は停止する。また、ＭＥＮＵキー３８を操作することによりパラメータ装置の各種のモード切替が行われる。
従来装置１に係るパラメータ設定装置では、インバータ装置の有する複数の機能に対応して準備された各種のパラメータがパラメータ番号とともに表示部３０に表示されれる。インバータ装置の操作者は、設定値を変更したいパラメータを表示部３０に表示させ、そのパラメータの設定値の変更を行っていた。
【０００３】
インバータ装置には設定しなければならない数多くのパラメータがある。例えば、パラメータが１４１種類ある場合に、そのパラメータの機能名をパラメータ番号順に配列したものを図５に示している。また、図６は、パラメータ番号と機能説明テキストの表示例であり、ＵＰキー３４あるいはＤＯＷＮキー３５を操作することにより図６に示されたように、パラメータ番号とその機能名がスクロールして表示された。
そして、ある機能のパラメータの値を変更したい場合には、変更したいパラメータのパラメータ番号および機能名を表示部３０に表示させ、ＤＡＴＡ／ＥＮＴＥＲキー３２を操作することによりパラメータの値を変更するためのモードに移行した。そして、そのモードにおいてパラメータの値の変更が終了すると、ＥＳＣキー３１を操作することにより元の機能名が表示されるモードに戻ることができた。
この従来のインバータ装置におけるパラメータ設定装置では、インバータ装置の複数の機能のうちのある機能のパラメータを変更する場合、インバータ装置の操作者は、変更を行うとするパラメータ番号およびパラメータの機能名が表示されるまで、ＵＰキー３４またはＤＯＷＮキー３５を操作しなければならず多くの操作回数を必要とし操作が煩雑であった。
従来装置１に係るパラメータ設定装置では、設定されている値を変更したいパラメータを表示させるためには多くの操作回数を必要とし操作が煩雑であるという問題点があった。
【０００４】
そこで、本出願人は、インバータ装置のパラメータの設定変更を行うために必要な操作回数を削減して、操作性を向上させるために改良型のパラメータ設定装置（以後、従来装置２と言う）を先に開発した（特許文献１参照）。
【特許文献１】特開２００２−３４２６１
【０００５】
そこで、従来装置２についてまず説明する。
従来装置２のインバータ装置におけるパラメータ設定装置の外観は図４に示した従来装置１と同様となっていて、パラメータ番号の構成および設定変更したいパラメータを表示させる場合の操作方法のみが従来装置１と異なっている。
図７は、従来装置２のインバータ装置におけるパラメータ設定装置におけるパラメータ番号の構成を示す階層図である。
図７に示されるように、パラメータ番号は、それぞれ独立して変更可能な概略機能番号と詳細機能番号とから構成されている。概略機能番号とは、機能が類似している複数のパラメータに共通に付した番号である。詳細機能番号とは、同一の概略機能番号が付されている複数のパラメータの内から各パラメータを特定するために１つのパラメータに対して付される番号である。各パラメータには、設定できる値として、図８に示されるような値が定義されている。
図８において、従来装置２のパラメータ設定装置では、概略機能番号と詳細機能番号とから構成されるパラメータ番号が、その機能名とそのパラメータに設定されている値とともに表示部３０に表示される。そして、概略機能番号が選択されている場合にＵＰキー３４またはＤＯＷＮキー３５が操作されると概略機能番号のみが変化し、詳細機能番号が選択されている場合にＵＰキー３４またはＤＯＷＮキー３５が操作されると詳細機能番号のみが変化する。
【０００６】
図９はパラメータ番号表示の遷移図を示すもので、（ａ）は、パラメータ番号Ｂ１−０１の概略機能番号が選択されている際にＵＰキー３４またはＤＯＷＮキー３５を入力したときのパラメータ番号表示の遷移図を、（ｂ）は、パラメータ番号Ｂ１−０１の詳細番号０１が選択されている際にＵＰキー３４またはＤＯＷＮキー３５を入力したときのパラメータ番号表示の遷移図を、それぞれ示している。概略機能番号、詳細機能番号のいずれかが選択されていることを示すために、概略機能番号、詳細機能番号のうち現在選択されている機能番号を点滅させるようにしている。以下の図では、番号等が点滅していることを示すために“  ”を用いる。例えば、概略機能番号Ｂ１が点滅している場合には、“Ｂ１”として表示する。概略機能番号の選択と詳細機能番号の選択を切替えるために右シフトキーを使用する。
【０００７】
図１０は、概略機能番号の選択と詳細機能番号の選択を切替える操作を説明した図であり、右シフトキー３３を操作する度に概略機能番号Ｂ１の点滅と詳細機能番号０１の点滅がサイクリックに切り替わるようにした場合を用いて説明する。そして、表示されているパラメータの設定値を変更しようとする場合にはＤＡＴＡ／ＥＮＴＥＲキー３２を操作することにより設定値を変更するモードに移行する。その設定値を変更するモードでは、設定値が点滅することにより設定値の変更ができることが示される。そして、この状態においてＵＰキー３４またはＤＯＷＮキー３５を操作することにより設定値が切り替わる。そして、設定値の変更が終了するとＥＳＣキー３１を操作することにより元のパラメータ表示画面に戻ることができる。
【０００８】
図１１はある機能名が表示されるようになった状態を示す図で、（ａ）は、概略機能番号Ｂ１が点滅している際に、ＵＰキー３４を操作することにより概略機能番号がＢ２に変わり、概略機能番号Ｂ１の機能名である「運転モード選択」から概略機能番号Ｂ２の機能名である「直流制動開始周波数」が表示されうようになった状態を示す図である。また、図１１（ｂ）は、概略機能番号がＢ１で、詳細機能番号が０１が点滅している際に、ＵＰキー３４を操作することにより詳細機能番号が０１から０２に変わり、詳細機能番号０１の機能である「周波数指令の選択」から詳細機能番号０１の機能名である「運転指令の選択」が表示されるようになった状態を示す図である。
【０００９】
次に、図１２〜図１５を用いて従来装置２に係るパラメータ装置を実際に実現する場合の手段について説明する。
図１２は従来装置２に係るパラメータ設定装置の表示機能の階層を示している。このパラメータ設定装置では、ＭＥＮＵキー３８を操作することによりパラメータ設定装置のモードが切り替わるようになっている。ＭＥＮＵキー３８を操作することによりモードは、ドライブモード、クイックプログラムモード、アドバンスプログラムモード、ベリファイモード、オートチューニングモードと切り替わる。
ドライブモードは、インバータ装置を運転するモードであり、周波数指令、出力周波数、出力電流、出力電圧等のモニタ表示、および異常内容、異常履歴表示等を行うことができるようになっている。
クイックプログラムモードは、インバータの試運転に必要な最低限の定数の参照、設定を行うためのモードである。
アドバンスプログラムモードは、インバータ装置の全ての定数の参照、設定を行うためのモードである。
ベリファイモードは、プログラムやオートチューニングモードにおいて初期値より変更された定数のみを表示するモードである。
オートチューニングモードは、モータ定数を自動設定するモードである。
また、このパラメータ表示装置では、各概略機能、詳細機能、モード等毎にメッセージテーブルを設け、このメッセージテーブルに表示部３０に表示するためのメッセージデータ等を格納するようにしている。
図１３はこの各メッセージテーブルのつながりを示す図である。
図に示されるように、ＤＡＴＡ／ＥＮＴＥＲキー３２、ＵＰキー３４、ＤＯＷＮキー３５等を操作することにより各メッセージテーブル間の遷移が行われる。
【００１０】
図１４は図１３中のメッセージテーブルの構造を示す図である。
図において、“ｍｅｎｕｔｘｔ”により示される領域は、表示部３０に表示するためのメッセージデータを格納するための領域であり、機能番号“Ａ１−００”の機能である“表示言語の選択”において選択された文字列の表示を行うことができるように、複数言語のメッセージデータを格納している。
“ｐｒｅｖ”により示される領域は、ＤＯＷＮキー３５を操作したときに移動するメッセージテーブルへのポインタを格納するため領域である。
“ｎｅｘｔ”により示される領域は、ＵＰキー３４を操作したときに移動するメッセージテーブルへのポインタを格納するため領域である。
“ｇｏ”により示される領域は、ＤＡＴＡ／ＥＮＴＥＲキー３２を操作したときに移動するメッセージテーブルへのポインタを格納するため領域である。
メッセージの表示は、メッセージテーブルのポインタ“ｔｈｉｓｍｅｎｕ”が指すメッセージの機能番号“Ａ１−００”で示される機能により選択した言語を表示する。
ＵＰキー３４を押すと“ｎｅｘｔ”、ＤＯＷＮキー３５を押すと“ｐｒｅｖ”、ＤＡＴＡ／ＥＮＴＥＲキー３２を押すと“ｇｏ”により示されるメッセージテーブルへポインタ“ｔｈｉｓｍｅｎｕ”を移動する。
また、ＥＳＣキー３１が操作されたことにより上の階層へ戻る処理を行うために、メッセージテーブル用のスタックを備えておく。ＤＡＴＡ／ＥＮＴＥＲキー３２を操作した際に、“ｔｈｉｓｍｅｎｕ”に“ｇｏ”により示される領域に格納されているポインタを設定する前に、“ｔｈｉｓｍｅｎｕ”に現在設定されているポインタをスタックに格納しておく。そして、ＥＳＣキー３１が押された際に、スタックに格納されているデータを“ｔｈｉｓｍｅｎｕ”に設定することによりＤＡＴＡ／ＥＮＴＥＲキー３２が押される前のメッセージテーブルへ戻ることができる。
【００１１】
図１５は図１３中の定数テーブルの構造を示す図である。
定数テーブルは、全ての定数、モニタ、その他ＭＯＤＢＵＳでアクセスする変数に１対１に対応し、そのデータの詳細な情報を格納するテーブルである。
図１３において、“定数ＲＡＭのアドレス”により示される領域は、対応している定数が記憶されているＲＡＭのアドレスを格納するための領域である。
“下限”により示される領域は、定数設定の下限値を格納するための領域である。
“上限”により示される領域は、定数設定の上限値を格納するための領域である。
“情報ビット”により示される領域は、定数のサイズ等を表すビットを格納するための領域である。
“定数計算アドレス”により示される領域は、定数計算の関数のアドレスを格納するための領域である。
“スキャンＲＡＭのアドレス”により示される領域は、定数計算後の値を格納するスキャンＲＡＭのアドレスを格納するための領域である。
“表示”により示される領域は、定数の表示桁と小数点位置を格納するための領域である。
“定数番号”により示される領域は、定数番号を数値により格納するための領域である。
“レジスタス番号”により示される領域は、ＭＯＤＢＵＳレジスタ番号を格納するための領域である。
“アクセスレベル”により示される領域は、制御モード別にアクセスレベルを格納するための領域である。
【００１２】
従来装置２に係るパラメータ設定装置によれば、インバータ装置の操作者は、あるパラメータの設定値を変更しようとする場合、概略機能番号を用いて先ずそのパラメータの概略機能を選択することにより大まかにパラメータを検索した後に、つづいて細かな詳細機能を検索表示した後にパラメータの設定値の変更を行っている。上記のような操作を行うことにより、従来装置１に係るパラメータ設定装置と比較してより少ない操作回数で設定値の変更を行ないたいパラメータを表示させることができ、操作性の向上を図ることができるようになった。
【００１３】
ところが、その後、さらに改良が必要なことに本出願人は気がついた。
従来装置２に係るインバータ装置では、デフォルト値から変更されたパラメータを設定・参照する機能とユーザが選択したパラメータのみ設定・参照する機能が独立していたので、ユーザが必要なパラメータのみを設定・参照する場合、ユーザは、機械緒言に合わせてインバータを調整するために、まず、パラメータを変更する。その後、図１６で示すベリファイ機能、つまり、デフォルト値から変更されたパラメータのみを表示する機能を用いて、必要パラメータを特定するか、あるいは、必要なパラメータ番号を控えておいた。
ベリファイ機能は、図１６においてインバータ装置にあらかじめ登録されているデフォルト値とパラメータの設定値を比較し（Ｓ１）、次いで、異なっているパラメータの番号をデフォルト値から異なるフラグを用いて、パラメータ表示用メモリに登録し（Ｓ２）、パラメータ表示用メモリに登録されたパラメータ番号の内、最小の番号から表示して（Ｓ３）、必要なパラメータを特定する。
次に、図１７のユーザパラメータ機能を用いて、ベリファイ機能で特定したパラメータ番号をユーザ選択パラメータに登録するか、控えておいたパラメータ番号をユーザ選択パラメータに登録する必要があった。
ユーザパラメータ機能は、図１７においてＡ２パラメータに登録されたパラメータ番号をパラメータ表示用メモリに登録し（Ｓ１１）、パラメータ表示用メモリに登録されたパラメータ番号の内、最小の番号から表示させた（Ｓ１２）。
例えば、図１８のように、ユーザが全パラメータ（パラメータ番号「ｂ１−０１」、「ｂ１−０２」、・・・、「Ｏ１−０１」）の中から、９つのパラメータ（Ｃ１−０１、Ｃ１−０２、Ｃ１−０３、Ｃ１−０４、Ｄ１−０１、Ｄ１−０２、Ｄ１−０３、Ｄ１−０４、Ｈ１−０１）を変更し、当該パラメータのみを設定・参照したい場合、ベリファイ機能により、デフォルト値から変更されたパラメータを表示させ、その後、図１９のように、ユーザ選択パラメータであるＡ２−０１、Ａ２−０２、・・・、Ａ２−０９に、順番に、デフォルト値から変更されたパラメータ番号Ｃ１−０１、Ｃ１−０２、・・・、Ｈ１−０１を１つ１つ登録していく必要があった。あるいは、必要なパラメータ番号を控えておき、図１９の要領にて、Ａ２パラメータに登録していく必要があった。
【発明の開示】
【発明が解決しようとする課題】
【００１４】
このように、従来装置２に係るインバータ装置において、ユーザが必要なパラメータのみを設定・参照する場合、ユーザが必要とするパラメータ番号をユーザ選択パラメータに１つ１つ登録していく必要があり、パラメータ設定において多くの操作回数を必要とし、煩雑であるという問題点があった。
本発明はこのような問題点に鑑みてなされたものであり、ユーザが必要なパラメータのみを設定・参照する場合のパラメータ設定の操作回数を削減し、パラメータ設定の操作性を向上したインバータ装置およびそのパラメータ設定方法を提供することを目的とする。
【課題を解決するための手段】
【００１５】
上記問題を解決するため、請求項１記載の発明は、インバータ装置におけるパラメータ設定装置に係り、複数のパラメータの設定値を記憶させる記憶手段と、各パラメータを表示可能な表示手段と、各パラメータ値を設定可能な設定手段と、ユーザが必要なパラメータのみを登録し、当該パラメータのみ表示させることができる表示手段と、登録した当該パラメータを記憶させる記憶手段と、パラメータの初期値として当該装置に記憶されているデフォルト値とパラメータの現在の値を比較してデフォルト値と異なるパラメータを検出する相異パラメータ検出手段と、当該パラメータを記憶する記憶手段と、当該パラメータのみ表示させることができる表示手段とを備えたインバータ装置におけるパラメータ設定装置において、デフォルト値と異なるパラメータを、ユーザが必要なパラメータとして登録する異デフォルト値パラメータ登録手段を備えたことを特徴としている。
請求項２記載の発明は、請求項１記載のインバータ装置におけるパラメータ設定装置において、前記各パラメータ値を設定中に、ユーザが必要とするパラメータに登録ができる設定手段を備えたことを特徴としている。
請求項３記載の発明は、インバータ装置におけるパラメータ設定方法に係り、複数のパラメータの設定値を記憶し、各パラメータを表示し、各パラメータ値を設定し、ユーザが必要なパラメータのみを登録し、登録された当該パラメータのみ表示させ、登録した当該パラメータを記憶させ、パラメータの初期値として当該装置に記憶されているデフォルト値とパラメータの現在の値を比較してデフォルト値と異なるパラメータを検出し、検出された当該パラメータを記憶し、当該パラメータのみ表示させるインバータ装置におけるパラメータ設定方法において、デフォルト値と異なるパラメータを、ユーザが必要なパラメータとして登録するようにしたことを特徴としている。
請求項４記載の発明は、請求項３記載のインバータ装置におけるパラメータ設定方法において、前記各パラメータ値を設定中に、当該パラメータをユーザが必要とするパラメータに登録ができるようにしたことを特徴としている。
【発明の効果】
【００１６】
請求項１および３記載の発明によると、インバータ装置のもつデフォルト値とパラメータの現在の値を比較して、デフォルト値と異なるパラメータを検出する機能を用いて記憶されたパラメータ番号情報を、パラメータ設定装置上の特定キーを押すことにより、ユーザ選択パラメータ表示メモリ領域に追加するので、ユーザでデフォルト値から変更されたパラメータを一括して、ユーザ選択パラメータに追加することが可能となる。
また、請求項２及び４記載の発明によると、パラメータ設定時にパラメータ設定装置上の特定キーを押すことで、当該パラメータ番号を、ユーザ選択パラメータ表示メモリ領域に追加できるので、ユーザが必要とするパラメータの設定値を変更しているときに、当該パラメータをユーザ選択パラメータに登録することが可能となる。また、特定キーの変わりに、特定パラメータにより、ユーザ選択パラメータ表示メモリ領域に追加してもよい。
したがって、本発明によれば、これまで１つ１つユーザ選択パラメータに必要なパラメータを登録していた煩雑さを大幅に解消できるようになる。
【発明を実施するための最良の形態】
【００１７】
以下、本発明の実施の形態について図を参照して説明する。
【実施例１】
【００１８】
図１は、本発明に係るインバータ装置のパラメータ設定装置の外観を示す図である。図１の装置が従来装置２（図４）と異なる部分は、従来装置２の「ＪＯＧ  キー３９’」に代えて「ＪＯＧ／ＵＳＥＲ  キー３９」を備えた部分である。
「ＪＯＧ／ＵＳＥＲ  キー３９」は、ベリファイ機能によりメモリに登録されたデフォルト値から異なるパラメータ番号を、ユーザ選択パラメータに自動登録するものである。
図２は、本発明のデフォルト値から異なるパラメータを、ユーザ選択パラメータの表示用メモリに移すまでの遷移を表している。つまり、ベリファイ機能により、デフォルト値から異なるパラメータのパラメータ番号がメモリに登録される。その後、ＪＯＧ／ＵＳＥＲ  キー３９を押すことにより、当該パラメータ番号を登録したメモリ内容を、ユーザ選択パラメータ用のメモリに移動させることにより、デフォルト値から異なるパラメータすべてが、ユーザ選択パラメータ表示用のメモリに書き込まれ、設定・参照することが可能となる。
このようにするために、インバータ装置は、デフォルト値とパラメータの現在の値を比較して、デフォルト値と異なるパラメータを検出する異パラメータ検出機能を備えている。そして検出された異パラメータのラメータ番号情報を、パラメータ設定装置上の特定キーを押すことにより、ユーザ選択パラメータ表示メモリ領域に追加することで、ユーザでデフォルト値から変更されたパラメータを一括して、ユーザ選択パラメータに追加することが可能となる。
【実施例２】
【００１９】
図３は、ユーザがパラメータの設定を変更している際に、ＪＯＧ／ＵＳＥＲ  キー３９を押すことにより、変更パラメータ番号が、ユーザ選択パラメータの表示用メモリに追加されるまでの遷移を表している。
これによれは、Ｂ１−０１のパラメータの設定を１に変更している際に、ＪＯＧ／ＵＳＥＲキー３９を押すことで、ユーザ選択パラメータ  Ａ２−１０のメモリにＢ１−０１が登録され、ユーザ選択パラメータの表示用メモリに書き込まれ、設定・参照することが可能となる。
このように、実施例２によれば、ユーザが必要とするパラメータの設定値を変更しているときに、当該パラメータをユーザ選択パラメータに登録することが可能となる。
以上のように、従来装置２によればユーザ選択パラメータに必要なパラメータを１つ１つ登録していたのでとても煩雑であったが、本発明によればかかる煩雑さを大幅に解消できるようになる。
【図面の簡単な説明】
【００２０】
【図１】本発明に係るインバータ装置のパラメータ設定の外観を示す図である。
【図２】本発明のデフォルト値から異なるパラメータを、ユーザ選択パラメータの表示用メモリに移すまでの遷移図である。
【図３】本発明におけるパラメータの設定を変更している際に、ＪＯＧ／ＵＳＥＲキーを押すことにより、変更パラメータ番号が、ユーザ選択パラメータの表示用メモリに追加されるまでの遷移図である。
【図４】従来装置１のパラメータ設定装置の外観を示す図である。
【図５】従来装置１のパラメータ設定装置において用いられるパラメータ番号と各パラメータの機能との関係を示した図である。
【図６】従来装置１のパラメータ設定装置におけるパラメータの設定方法を説明するための図である。
【図７】従来装置２のパラメータ設定装置におけるパラメータ番号の構成を示す階層図である。
【図８】従来装置２のパラメータ設定装置における各パラメータの種類を示す図である。
【図９】従来装置２のパラメータ設定装置におけるパラメータの設定方法を説明するための図である。
【図１０】従来装置２のパラメータ設定装置におけるパラメータの設定方法を説明するための図である。
【図１１】従来装置２のパラメータ設定装置におけるパラメータの設定方法を説明するための図である。
【図１２】従来装置２のパラメータ設定装置の表示機能の階層を示す図である。
【図１３】各メッセージテーブルのつながりを示す図である。
【図１４】図１７中のメッセージテーブルの構造を示す図である。
【図１５】図１７中の定数テーブルの構造を示す図である。
【図１６】従来装置２に係るベリファイ機能のフローチャートである。
【図１７】従来装置２に係るユーザパラメータ機能のフローチャートである。
【図１８】従来のベルファイ機能によるパラメータ表示例である。
【図１９】ユーザ選択パラメータにパラメータ番号を登録する手順例を示している。
【符号の説明】
【００２１】
３０  表示部
３１  ＥＳＣキー
３２  ＤＡＴＡ／ＥＮＴＥＲキー
３３  右シフトキー
３４  ＵＰキー
３５  ＤＯＷＮキー
３６  ＲＵＮキー
３７  ＳＴＯＰキー
３８  ＭＥＮＵキー
３９  ＪＯＧ／ＵＳＥＲキー
３９’ＪＯＧキー
【図１】
2006246658.tif 000003
【図２】
2006246658.tif 000004
【図３】
2006246658.tif 000005
【図４】
2006246658.tif 000006
【図５】
2006246658.tif 000007
【図６】
2006246658.tif 000008
【図７】
2006246658.tif 000009
【図８】
2006246658.tif 000010
【図９】
2006246658.tif 000011
【図１０】
2006246658.tif 000012
【図１１】
2006246658.tif 000013
【図１２】
2006246658.tif 000014
【図１３】
2006246658.tif 000015
【図１４】
2006246658.tif 000016
【図１５】
2006246658.tif 000017
【図１６】
2006246658.tif 000018
【図１７】
2006246658.tif 000019
【図１８】
2006246658.tif 000020
【図１９】
2006246658.tif 000021